(57)【特許請求の範囲】
【請求項１】
ポンプ制御装置であって、
入口を水源に接続し、出口を第１分配弁にまた逆止め弁を介して炭酸化器に接続したポンプと；
ポンプに接続した電源と；
電源からの電力供給を調整する制御器と；を有し、
制御器は、炭酸化器から受けた充填信号に応じて第１の所定電力レベルでポンプに給電し、また第１分配弁から受けた分配信号に応じて第２の所定電力レベルでポンプに給電するように電源を作動するポンプ制御装置。
【請求項２】
ポンプの出口は第２分配弁に接続される請求項１のポンプ制御装置。
【請求項３】
制御器は、第２分配弁から受けた分配信号に応じて第２の所定電力レベルでポンプに給電するように電源を作動する請求項２のポンプ制御装置。
【請求項４】
制御器は、第１及び第２分配弁の両方から受けた分配信号に応じて第３の所定電力レベルでポンプに給電するように電源を作動する請求項２のポンプ制御装置。
【請求項５】
ポンプ制御方法であって、
入口を水源に接続し、出口を第１分配弁及び逆止め弁を介して炭酸化器に接続する工程と；
電源をポンプに接続する工程と；
炭酸化器の充填信号について炭酸化器をモニタする工程と；
分配信号について第１分配弁をモニタする工程と；
炭酸化器の充填信号に応じて予定の第１電力レベルでポンプに給電するように電源を制御する工程と；
分配信号に応じて第２の所定電力レベルでポンプに給電するように電源を制御する工程と；を含むポンプ制御方法。
【請求項６】
ポンプの出口を第２分配弁に接続する工程を更に含む請求項５のポンプ制御方法。
【請求項７】
制御器は、第２分配弁から受けた分配信号に応じて第２の所定電力レベルでポンプに給電するように電源を制御する工程を更に含む請求項６のポンプ制御方法。
【請求項８】
第１及び第２分配弁の両方から受けた分配信号に応じて第３の所定の電力レベルでポンプに給電するように電源を制御する工程を更に含む請求項６のポンプ制御方法。
【発明の詳細な説明】
【０００１】
【発明の分野】
本発明は飲料ディスペンサに関するものであり、また本発明を限定するものではないが一層特にポンプの制御方法及び装置に関する。
【０００２】
【関連技術の説明】
飲料ディスペンサは一般に、炭酸水を作ったり、非炭酸飲料を作るためそれだけで又はシロップと一緒に供給するため淡水を必要とする。図１に示すように、水供給システム５０は、都市水道のような水源５１から淡水を受ける。あいにく、このような水源５１は通常、水供給システム５０で必要とされる圧力より低い圧力である２．７５７９０４×１０5Ｐａ（４０ｐｓｉ）以下の淡水を供給する。その結果、水供給システム５０は、水圧をほぼ９．６５２６６４×１０5Ｐａ（１４０ｐｓｉ）まで高める水ポンプ５２を含む。水ポンプ５２は淡水を分配弁５５、５６に、また弁５４を介して炭酸化器（carbonator）５３に供給する。
【０００３】
一般に５．１７１０７×１０5Ｐａ（７５ｐｓｉ）まで加圧される炭酸化器５３は、炭酸ガスを供給する二酸化炭素源に接続する。炭酸ガスは水に拡散／分解して炭酸水を生成する。５．１７１０７×１０5Ｐａ（７５ｐｓｉ）で閉成保持される弁５４は、炭酸ガス及び（又は）炭酸水が水源５１に流入するのを阻止する一方向逆止め弁である。
【０００４】
炭酸化器５３は、内部の水位を調整するプローブを有する。このプローブは、電源５８から水ポンプ５２への給電を行うリレー５７に接続する。水位が予め設定したレベル以下であることをプローブが記録すると、プローブは、リレー５７を閉じる信号を出力する。電源５８は電力を水ポンプ５２に供給し、水ポンプ５２は水源５１からほぼ９．６５２６６４×１０5Ｐａ（１４０ｐｓｉ）で水を炭酸化器５３に汲み上げる。炭酸化器５３が満杯であることをプローブが記録すると、プローブは、その信号を止め、水ポンプ５２を停止させる。
【０００５】
分配弁５５、５６もまたリレー５７に接続する。分配弁５５及び（又は）５６は作動時に、リレー５７を閉じる信号を出力し、それにより電源５８は水ポンプ５２に給電する。水ポンプ５２は、作動された分配弁５５及び（又は）５６に淡水を供給し、淡水は直接にか又は非炭酸飲料を生成するようにシロップと混合して供給される。分配弁５５及び（又は）５６の消勢時に、リレー５７は開放して水ポンプ５２への給電を止める。
【０００６】
水供給システム５０は、適切に炭酸化器５３を充填しそして分配弁５５、５６に淡水を供給するように動作するが、重大な欠点を有する。炭酸化器５３内のプローブがリレー５７を制御する際、水供給システム５０は、分配弁５５、５６が閉じたままであるので正しく機能するが、しかし分配弁５５及び（又は）５６がリレー５７を制御する時には、炭酸化器５３は現在の水位にかかわらず充填される。
【０００７】
分配弁５５及び（又は）５６の作動時には、水ポンプは９．６５２６６４×１０5Ｐａ（１４０ｐｓｉ）で淡水を供給する。その結果、炭酸化器５３は、９．６５２６６４×１０5Ｐａ（１４０ｐｓｉ）で供給される淡水が弁５４に打ち勝ち、すでに十分な水量を含んでいても淡水を受けるので、充填する。その結果、炭酸化器５３は過充填となり、これは、最小時に二酸化炭素と淡水との比率が変わり、それにより飲料品質を壊し、また最大時には炭酸化器５３を破損したり又は炭酸化器５３が破裂する危険な状態を生じさせ得るので、問題である。従って、分配弁への淡水の供給中に炭酸化器５３の過充填を避ける装置及び方法は、現在利用可能な淡水ポンプ制御装置を改善する。
【０００８】
【発明の概要】
ポンプ制御装置は、入口を水源に接続し、出口を第１分配弁にまた逆止め弁を介して炭酸化器に接続したポンプを含む。電源はポンプに接続され、また制御器は電源からポンプへの電力供給を調整する。炭酸化器から受けた充填信号に応じて、制御器は、予定の第１電力レベルでポンプに給電するように電源を作動する。代わりに、制御器は、第１分配弁から受けた分配信号に応じて予定の第２電力レベルでポンプに給電するように電源を作動する。
【０００９】
ポンプの出口は更に第２分配弁に接続され、また、第２分配弁から受けた分配信号に応じて、制御器は予定の第２電力レベルでポンプに給電するように電源を作動する。代わりに、制御器は、第１、第２分配弁の両方から受けた分配信号に応じて予定の第３電力レベルでポンプに給電するように電源を作動する。
【００１０】
ポンプの制御方法は、電源をポンプに接続し、ポンプの入口を水源に接続し、そして出口を第１分配弁にまた逆止め弁を介して炭酸化器に接続することを含む。炭酸化器は、炭酸化器の充填信号についてモニタされ、そして充填信号に応じて、電源は、予定の第１電力レベルでポンプに給電するように制御される。第１分配弁は分配信号についてモニタされ、そして電源は分配信号に応じて予定の第２電力レベルでポンプに給電するように制御される。
【００１１】
本方法は更に、ポンプの出口を第２分配弁に接続する工程を含む。第２分配弁は分配信号についてモニタされ、そしてその分配信号に応じて電源は予定の第２電力レベルでポンプに給電するように制御される。分配信号が第１、第２分配弁の両方から受けられると、電源は予定の第３電力レベルでポンプに給電するように制御される。
【００１２】
【好ましい実施の形態の詳細な説明】
図２に示すように、ポンプ制御装置１０は制御器１１を備え、この制御器１１は、電源１２が水ポンプ１３に供給する電力量を調整する。水ポンプ１３は水源１４に接続し、弁１６を介して炭酸化器１５にまた淡水弁１７、１８に淡水を供給する。この好ましい実施の形態において、水ポンプ１３はＤＣモータ又はＡＣ誘導モータポンプのような任意の標準の水ポンプてあり、一方、水源１４は２．７５７９０４×１０5Ｐａ（４０ｐｓｉ）以下で水を供給する普通の都市公共水道である。
【００１３】
炭酸化器１５は、内部の淡水に炭酸ガスを混合して、炭酸水を生成する標準の炭酸化器である。炭酸化器１５は淡水レベルプローブを備え、この淡水レベルプローブは制御器１１に接続し、制御器１１に、水ポンプ１３を駆動又は停止すべき時点を指示する信号を供給する。この好ましい実施の形態において、弁１６は、５．１７１０７×１０5Ｐａ（７５ｐｓｉ）の炭酸化器圧力で始まって６．８９４７６×１０3Ｐａ（１ｐｓｉ）の圧力差で開放する標準の一方向逆止め弁である。
【００１４】
淡水弁１７、１８は、淡水を単独でか又はシロップと混合して供給しレモネードのような非炭酸飲料を生成させる標準の分配弁である。淡水弁１７、１８は各々、閉成時に水ポンプ１３を作動統べきであることを指示する信号を制御器１１に供給するスイッチを備える。
【００１５】
この好ましい実施の形態では、制御器１１は、電源１２からの給電を調整する任意の標準型マイクロプロセッサ又はマイクロコントローラである。電源１２は標準の１１０／１２０ＶＡＣ電線に接続し、そしてこの好ましい実施の形態では、水ポンプ１３に可変電力を供給するように制御器１１で制御される切替え可能な抵抗リレーを含むＤＣ電圧調整器、水ポンプ１３に可変電力を供給するように制御器１１でパルス幅変調されるＤＣ電圧調整器、又はＡＣ誘導モータポンプである水ポンプ１３に可変ＡＣ電力を供給するように制御器１１でパルス幅変調されるＡＣ電圧調整器のいずれかである。切替え可能な抵抗リレーは一つのオフ位置と三つのオン位置を備え、電源１２が水ポンプ１３に供給する電力量を変える。
【００１６】
図３に例示したように動作において、制御器１１は工程２０で、炭酸化器１５内の水位が下方レベル限界以下であるかどうかをチェックして決める。水位が下方レベル限界以下であることを表す信号を炭酸化器１５のプローブが出力すると、制御器１１は工程２１へ進み、予定の第１電力レベル（この好ましい実施の形態では全出力）で電源１２を作動する。切替え可能な抵抗リレーの場合、制御器１１は水ポンプ１３に全出力を供給するオン位置にリレーを作動する。
【００１７】
ＤＣか又はＡＣパルス幅変調の場合には、制御器１１は電源１２に１００％デューティサイクル信号を供給し、水ポンプ１３に全出力電力を供給させる。工程２６では制御器１１は水ポンプを全出力に維持し、それにより、圧力差のため開放した弁１６を介して最大流れ容量及び設計した出口圧力で炭酸化器１５に供給する。炭酸化器１５が一杯になった後は、炭酸化器１５のプローブは制御器１１へ信号を出力するのを止め、電源１２を切り、それにより水ポンプ１３を停止させる。
【００１８】
炭酸化器１５が充填する必要のない場合、すなわち炭酸化器１５のプローブが信号を出力するのを止めた場合には、制御器１１は工程２２に進み、淡水弁の一方１７又は１８が作動していたことを検出する。淡水弁の両方ではなく一方１７又は１８が作動していた場合には、制御器１１は工程２３に進み、予定の第２電力レベル（この好ましい実施の形態では５０％電力）で電源１２を作動する。切替え可能な抵抗リレーの場合、制御器１１はリレーを、水ポンプ１３に５０％電力を供給するオン位置に駆動する。ＤＣか又はＡＣパルス幅変調の場合には、制御器１１は電源１２に５０％デューティサイクル信号を供給し、水ポンプ１３に５０％電力を供給させる。
【００１９】
工程２７では、制御器１１は水ポンプ１３を５０％出力に維持し、それにより設計出口圧力に対する５０％流れ容量（この好ましい実施の形態では４．１３６８５６×１０5Ｐａ（６０ｐｓｉ）で５０ｇｐｈ）で淡水分配弁の一方１７又は１８に供給する。作動された淡水分配弁１７又は１８の消勢時には、制御器１１は電源１２を切り、それにより水ポンプ１３を停止させる。その結果、水ポンプ１３は一方の淡水分配弁１７又は１８に淡水を供給するが、しかし、５０％流れ容量での水圧では弁１６を開放するのには不十分であり、一方の淡水分配弁１７又は１８の使用中に炭酸化器１５を充填できないことになる。
【００２０】
制御器１１が淡水分配弁の一方１７又は１８だけの作動を検出しない場合には、制御器１１は工程２４に進み、両方の淡水弁１７、１８の両方が作動していることを検出する。両方の淡水弁１７、１８の両方が作動している場合には、制御器１１は工程２５に進み、予定の第３電力レベル（この好ましい実施の形態では７５％出力）で電源１２を作動する。切替え可能な抵抗リレーの場合には、制御器１１はリレーを、水ポンプ１３に７５％電力を供給するオン位置にする。
【００２１】
ＤＣか又はＡＣパルス幅変調の場合には、制御器１１は電源１２に７５％デューティサイクル信号を供給し、水ポンプ１３に７５％電力を供給させる。工程２８では、制御器１１は水ポンプ１３を７５％出力に維持し、それにより設計出口圧力に対する流れ容量（この好ましい実施の形態では６０ｐｓｉで１００ｇｐｈ）で淡水分配弁の両方１７、１８に供給する。淡水分配弁１７、１８の消勢時には、制御器１１は電源１２を切り、それにより水ポンプ１３を停止させる。その結果、水ポンプ１３は淡水分配弁１７、１８に淡水を供給するが、しかし、７５％流れ容量での水圧では弁１６を開放するのには不十分であり、淡水分配弁１７、１８の使用中に炭酸化器１５を充填できないことになる。
【００２２】
電源１２の消勢時、すなわち両淡水分配弁１７、１８の作動を検知できない場合には、制御器１１は工程２０に戻り、炭酸化器１５及び淡水弁１７、１８のモニタを続ける。５０％、７５％、１００％電力レベルは例として挙げられるものであり、水ポンプ１３に対する電力は、炭酸化器１５又は淡水弁１７及び（又は）１８を動作させるのに十分な水圧の水を供給できるように必要に応じて１％〜１００％の範囲で変化され得ることが当業者には理解されるべきである。
【００２３】
本発明は好ましい実施の形態について説明してきたが、かかる説明は単に例示のためのものであり、当業者には明らかなように、種々の程度の多くの変更、等価及び変化は本発明の範囲内である。従って、本発明の範囲は上記の説明ではいかなる点においても限定されず、むしろ特許請求の範囲によってのみ定義される。
【図面の簡単な説明】
【図１】  従来技術のポンプ制御装置を示すブロック線図。
【図２】  好ましい実施の形態によるポンプ制御装置を示すブロック線図。
【図３】  好ましい実施の形態によるポンプ制御装置で実施した決定及び制御工程を例示するフローチャート。
【図１】
0003670966.tif 000002
【図２】
0003670966.tif 000003
【図３】
0003670966.tif 000004